(57)【要約】      （修正有）【課題】長尺ゴムシートを最終製品に加工する２次加工メーカーにおいて、端尺残品の識別管理を容易に行なうことができる長尺ゴムシートを提供する。【解決手段】識別マーク入りの長尺ゴムシート２において、識別マークがゴムシートの長さ方向の端面に沿って設けられた目視可能な着色部４ａであり、また、目視可能な着色部４ａがゴム材質の種類により、例えば、天然ゴム（ＮＲ）系は赤色、アクリロニトリルゴム（ＮＢＲ）系は緑色、クロロプレンゴム（ＣＲ）系は黄色などと定められる。【選択図】図２
0003122478.tif 000002
【実用新案登録請求の範囲】
【請求項１】
識別マーク入りの長尺ゴムシートにおいて、前記識別マークは、前記ゴムシートの長さ方向の端面に沿って設けられた目視可能な着色部であることを特徴とする長尺ゴムシート。
【請求項２】
前記着色部はゴム材質の種類により定められることを特徴とする請求項１記載の長尺ゴムシート。
【考案の詳細な説明】
【技術分野】
【０００１】
本考案は識別マーク入りの長尺ゴムシートに関し、特に長尺ゴムシートの端尺残品を識別可能にするマーク入りの長尺ゴムシートに関する。
【背景技術】
【０００２】
パッキング、封止材、緩衝材、防振材、シート材などの用途にゴム製品が多用されている。これらのゴム製品の中で、形状が複雑なもの、生産ロットの少ないものを最終製品として製造する場合には、金型を用いてそれぞれ個別に製造するのではなく、ゴムシートから切断、打ち抜き、研磨などの加工を行なって最終製品に仕上げる。これらの便宜のために、一般的に長尺ゴムシートを製造する１次製造メーカーと、最終製品に加工する２次加工メーカーが別々に存在する。１次製造メーカーから調達された長尺ゴムシートを２次加工メーカーが保管し、個々の最終製品に製造する度にそれぞれ製品形状に合わせた加工が行なわれている。
【０００３】
一般にゴムシートは、黒色をしたものが多く、種々の材質について類似の厚みの製品を管理することが重要な生産管理のテーマのひとつになっており、製品識別ラベルを包装紙に添付するのが１次製造メーカーの従来の方法である。例えばロール状に巻かれた長尺ゴムシートの製品の形状を図３に示す。図３は長尺ゴムシートの製品の斜視図である。長尺ゴムシートの製品１は長尺ゴムシート２が巻芯３にロール状に巻かれている。その最外装または包装用紙上には、製造社名、製造年月日、材質の種類などが表示された識別ラベル５が貼付られている。
【０００４】
一方、２次加工メーカーにおいては、最終製品に加工する度に発生する少量の端尺品の識別管理を明確に行なうことが原価管理の面のみならず、産業廃棄物を減少させる観点からも重要な課題であるが、前述の包装紙に添付された識別ラベル５では、端尺品の識別管理に対応することができないのが現状である。
【０００５】
プラスチックシート基材の背面に粘着層を介して剥離シートが貼付されたマーキングシートがロール状に巻かれたマーキングシートロールの残量長を確実、正確かつ容易に確認可能とするため、剥離シート表面に熱により残量長指標が印字されているマーキングシートロールが知られている（特許文献１）。
しかしながら、長尺ゴムシートは、その形状、外観が殆ど同じ場合が多いため、２次加工メーカーの加工工程において、特にゴム材質が不明になる場合がある。また、熱による印字はゴム材質を劣化させる場合がある。
さらに、シートの表面に印字等すると、その部分が最終製品に使用できないという問題がある。
【特許文献１】特開２００５−２６４０２０号公報
【考案の開示】
【考案が解決しようとする課題】
【０００６】
本考案は、このような問題に対処するためになされたもので、特に長尺ゴムシートを最終製品に加工する２次加工メーカーにおいて、端尺残品の識別管理を容易に行なうことができる識別マーク入りの長尺ゴムシートの提供を目的とする。
【課題を解決するための手段】
【０００７】
本考案の長尺ゴムシートは、識別マーク入りの長尺ゴムシートにおいて、上記識別マークがゴムシートの長さ方向の端面に沿って設けられた目視可能な着色部であることを特徴とする。
また、目視可能な着色部がゴム材質の種類により定められることを特徴とする。
【考案の効果】
【０００８】
本考案の長尺ゴムシートは、ゴムシートの長さ方向の端面に沿って着色部を設けるので、ゴムシートを途中で切断した場合であってもゴムシートの端面に沿って着色部が残り、ゴム製品の特徴や履歴を知ることができる。特にゴム材質を把握することができる。このため、２次加工メーカーにおいて端尺残品の識別管理が容易にできる。
【考案を実施するための最良の形態】
【０００９】
本考案の長尺ゴムシートを図１および図２により説明する。図１はロール状に巻かれた長尺ゴムシートの斜視図であり、図２は端面の一部拡大図である。
長尺ゴムシート２は巻芯３に巻かれて長尺ゴムシートの製品１となる。巻芯３は、例えば長尺ゴムシート２の厚さが数ｍｍ以下、好ましくは３ｍｍ以下の厚さの場合に使用される。長尺ゴムシート２の厚さが厚くなると巻芯３を使用しないでもゴムシート製品１として、潰れたりへたることなく巻き取ることができる。また、長尺ゴムシート２の厚さが数ｍｍ以下の場合、長尺ゴムシート２の間に表面保護の目的でフィルムを挿入することが好ましい。巻芯３の径は通常３０〜６０ｍｍである。また、巻き取られる長尺ゴムシート２の幅は通常１〜２ｍ、長さは３〜２０ｍである。
【００１０】
長尺ゴムシート２は、シート状に加工できるゴム材質であればよく、ゴム材質を例示すれば、天然ゴム（ＮＲ）系、イソプレンゴム（ＩＲ）系、スチレンブタジエンゴム（ＳＢＲ）系、ブタジエンゴム（ＢＲ）系、クロロプレンゴム（ＣＲ）系、ニトリルゴム（ＮＢＲ）系、ブチルゴム（ＩＩＲ）系、エチレンプロピレンゴム（ＥＰＤＭ）系、ウレタンゴム（ＡＵ、ＥＵ）系、シリコーンゴム（ＶＭＱ、ＦＶＭＱ）系、アクリルゴム（ＡＣＭ）系、クロロスルホン化ポリエチレンゴム（ＣＳＭ）系、フッ素ゴム（ＦＫＭ、ＦＥＰＭ、ＦＥＫＭ）系、水素化ニトリルゴム（ＨＮＢＲ）系、エピクロルヒドリンゴム（ＣＯ、ＥＣＯ）系等が挙げられる。これらのゴム材質に、通常、加硫剤、充填剤、補強剤などの配合剤を配合し、成形加硫して長尺ゴムシート２が得られる。
【００１１】
本考案の長尺ゴムシート２が巻芯３にロール状に巻かれる場合、そのロール状の端面に目視可能な着色部４ａを設ける。ロール状の端面は、ロール状に巻かれた長尺ゴムシートの長さ方向の幅面の片側、あるいは両側とすることができる。また、着色部４ａはロールの長さ方向の端面に沿っていれば、ロールの幅方向全面に設けることもできる。
着色部４は目視により識別可能となる方法で設けることができる。
着色はゴムの種類により変更することができる。例えば、天然ゴム（ＮＲ）系は赤色、アクリロニトリルゴム（ＮＢＲ）系は緑色、クロロプレンゴム（ＣＲ）系は黄色などと色の変化で材質を表示できる。
【００１２】
長尺ゴムシート２の端面への着色は、種々の形態とすることができる。
（１）長さ方向端面の幅切断仕上げ時に、仕上げカッターの後方で着色する。あるいは巻き取りロールの直前で着色する。着色方法としては、インクジェット噴霧方法、ロール式スタンプによる着色などが挙げられる。この場合、長尺ゴムシート２の厚みによって、連続線、不連続線、２重線等の着色形態とすることができ、ゴムの材質とともにロット番号等を表示することができる。
（２）長さ方向端面に沿って未加硫着色ゴムを貼った後、加硫成形時に同時に加硫接着する。この方法は、長尺ゴムシートが５ｍｍ以上の厚さの場合等、厚さゲージを挿入して加硫すると、より容易にできる。また、着色ゴムを貼る代わりに着色塗料を塗布した後、加硫成形してもよい。これら同時加硫の方法は、着色部が剥離したり、変色したりすることなく、また長尺ゴムシートに強固に着色できる。
具体的な方法としては、未加硫ゴム成形段階において、厚さ１０〜５０μｍの着色ゴムテープを端面に貼り付け、その後加硫する。着色ゴムテープの貼り付けは、中間層に挿入して全３層としてもよい。この場合、端尺残品のどの部分においても識別層を有することになる。
【００１３】
上記着色塗料あるいは着色ゴムテープに蛍光顔料または蓄光顔料を配合することにより、識別化がより明確にできる。
また、着色部の色相をより明確にするために、ロール端面に白色ゴムテープを用いるか、あるいは白色塗料を塗布した後、その白色化された部分に着色部を設けることにより、長尺ゴムシートが黒色であっても、容易に目視可能な着色層を設けることができる。
【産業上の利用可能性】
【００１４】
本考案の長尺ゴムシートは、ゴムシートの長さ方向の端面に沿って目視可能な着色部を識別マークとして設けるので、ゴム材質を端尺残品でも把握することができる。その結果、ゴム製品の２次加工メーカーにおいて好適に端尺残品を識別することができる。
【図面の簡単な説明】
【００１５】
【図１】ロール状に巻かれた長尺ゴムシートの製品の斜視図である。
【図２】長尺ゴムシートの端面の一部拡大図である。
【図３】従来の長尺ゴムシートの製品の斜視図である。
【符号の説明】
【００１６】
１  長尺ゴムシートの製品
２  長尺ゴムシート
３  巻芯
４  着色部
【図１】
0003122478.tif 000003
【図２】
0003122478.tif 000004
【図３】
0003122478.tif 000005